(57)【要約】【課題】原稿読み取り時の光量変動による影響を抑え、安定した画像データを得る。【解決手段】原稿を露光ランプで照射し、原稿からの反射光を光学系を介してＣＣＤで受光し、電気信号に変換して読み取る画像読み取り装置において、露光ランプを点灯するためのパルスを制御するとともに、露光ランプの光量を変更するパルス周波数をＣＣＤの読み取りデータに基づいて決定する点灯制御部１３５を備え、点灯制御部１３５は、原稿読み取りのＣＣＤ出力が一定になるように、パルス周波数を変更する。【選択図】図５
2007006339.tif 000002
【特許請求の範囲】
【請求項１】
原稿を露光ランプで照射し、原稿からの反射光を光学系を介して光電変換素子で受光し、電気信号に変換して読み取る画像読み取り装置において、
前記露光ランプを点灯するためのパルスを制御するとともに、前記露光ランプの光量を変更するパルス周波数を前記光電変換素子の読み取りデータに基づいて決定する制御手段を備え、
前記制御手段は、原稿読み取りの前記光電変換素子出力が一定になるように、前記パルス周波数を変更することを特徴とする画像読み取り装置。
【請求項２】
前記制御手段は、前記光電変換素子の読み取りデータとして白色基準板の読み取りデータを使用することを特徴とする請求項１記載の画像読み取り装置。
【請求項３】
前記制御手段は、前記光電変換素子の読み取りデータとして自動原稿給送装置の背景板を使用することを特徴とする請求項１記載の画像読み取り装置。
【請求項４】
前記背景板は、前記自動原稿給送装置の用紙ガイドと兼用されていることを特徴とする請求項３記載の画像読み取り装置。
【請求項５】
主走査方向の画像読み取り有効読み取り範囲外に反射濃度一定の基準板をさらに備え、前記制御手段は、原稿読み取り時の前記光電変換素子の読み取りデータとして前記基準板の読み取りデータを使用することを特徴とする請求項１記載の画像読み取り装置。  
【請求項６】
前記基準板は原稿サイズを測るスケールと兼用されていることを特徴とする請求項５記載の画像読み取り装置。
【請求項７】
前記制御手段は、原稿読み取り前の前記光電変換素子の読み取りデータとして自動原稿給送装置の背景板を使用することを特徴とする請求項５記載の画像読み取り装置。  
【請求項８】
原稿読み取り動作は、前記光電変換素子の出力が安定した後、読み取りを開始することを特徴とする請求項１ないし７のいずれか１項に記載の画像読み取り装置。  
【請求項９】
前記露光ランプを点灯するためのインバータ回路をさらに備え、
前記制御手段は、入力される露光ランプ点灯信号に基づいて前記露光ランプを点灯するためのパルスを前記インバータ回路に入力することを特徴とする請求項１ないし７のいずれか１項に記載の画像読み取り装置。
【請求項１０】
請求項１ないし９のいずれか１項に記載の画像読み取り装置を備えていることを特徴とする画像形成装置。
【発明の詳細な説明】
【技術分野】
【０００１】
本発明はインバータを使用した画像読み取り装置に係り、特に画像読み取り装置の露光制御に関し、また、前記画像読み取り装置を備えたコピー、ファクシミリあるいはこれらの機能を複合して備えたデジタル複合機などの画像形成装置に関する。
【背景技術】
【０００２】
この種の技術として例えば特許文献１あるいは２記載の発明が知られている。このうち特許文献１には、各ラインの読み取り周期と、光量制御周期（露光ランプの点灯／消灯の周期）の関係を考慮して、画像読み取り装置の正確な光量制御を実現することを目的とし、光量測定手段により測定される各読み取り周期の光量に基づき、露光ランプの光量が目標値になるように、その点灯／消灯比を光量制御手段により決定して、点消灯制御手段に対して指示し、点消灯制御手段は、指示された点灯／消灯比で露光ランプを点消灯させることで、その光量を制御し、光量制御手段により指示された点灯／消灯比が従前の値から変化した場合は、点消灯制御手段は、次回の読み取り開始タイミングに同期して開始される光量制御周期から新たな点灯／消灯比での制御を行うようにした発明が開示されている。
【０００３】
また、特許文献２には、トランスとランプ間の浮遊容量変化による光量変化を小さくし、広範囲にわたって安定した調光を行うことができるようにすることを目的とし、外部電極式希ガス蛍光ランプが可動する原稿照明ユニット内に配置され、このランプを点灯するフライバック型のインバータ回路を、前記原稿照明ユニットの外に配置した外部電極式希ガス蛍光ランプの点灯装置において、前記インバータ回路は、トランスの一次側に発生する１パルス毎のエネルギを一定に制御するため、上記トランスの一次側に接続されるインバータ回路のスイッチ素子に印加される電圧を検出し、スイッチ素子に印加される電圧が所定値を超えようとするとき、上記スイッチ素子に印加される電圧が上記所定値以下になるように制御し、さらに、トランスの一次側に発生する１パルス毎のエネルギを一定に制御し、かつ、該パルスの周波数を変更することにより外部電極式希ガス蛍光ランプを調光するようにした発明が開示されている。
【特許文献１】特開平７−７４８９０号公報
【特許文献２】特開２００１−０８５１８２号公報
【発明の開示】
【発明が解決しようとする課題】
【０００４】
画像読み取り装置の露光ランプの光量調整に関し、前記特許文献１あるいは２記載の発明が知られているが、これらも含め、従来の画像読み取り装置の露光（照明）装置は、装置システムの様々な読み取り速度、受光素子に対する必要光量に対し、各装置毎に固有照度の光源をカスタマイズで制作していた。  しかし、読み取りモード（モノクロ／カラー）で異なる読み取り速度に対応できず、光電素子飽和を防ぐため、速度の遅い（一般的にはカラー）に合わせた光学設計を行っていた。このような光学設計では、読み取り速度の早いシステムでは必要光量不足を生じて、Ｓ／Ｎが劣化する虞があった。また、必要光量の異なる装置システムで同じ光源を使用することができないことから、部品種類数が増大し、光源の管理が難しくなっていた。
【０００５】
また、他の方法として、同じランプを使う場合は、メカシェーディング板を使用し、光量をカットして使用するという方法もあるが、光電素子に対し過度な光を遮断するので、無駄なエネルギを消費し、省エネルギという観点から改善の余地があった。
【０００６】
さらに、ランプの温度特性により、高い光量で調整してあるランプを、低い光量で点灯させると、必要光量に対し徐々に光量が上昇していくという問題がある。これによりランプ温度が一定になるまで照度が安定せず、１スキャン毎の濃度ムラとなり読み取り画像として問題となることがあった。
【０００７】
本発明は、このような従来技術の実情に鑑みてなされたもので、その目的は、原稿読み取り時の光量変動による影響を抑え、安定した画像データを得ることができるようにすることにある。
【課題を解決するための手段】
【０００８】
前記目的を達成するため、第１の手段は、原稿を露光ランプで照射してその反射光を光学系を介して光電変換素子で受光し、原稿画像に対する電気信号を読み取る画像読み取り装置において、前記露光ランプを点灯するためのパルスを制御するとともに、前記露光ランプの光量を変更するパルス周波数を前記光電変換素子の読み取りデータに基づいて決定する制御手段を備え、前記制御手段は、原稿読み取りの前記光電変換素子出力が一定になるように、前記パルス周波数を変更することを特徴とする。
【０００９】
第２の手段は、第１の手段において、前記制御手段が前記光電変換素子の読み取りデータとして白色基準板の読み取りデータを使用することを特徴とする。
【００１０】
第３の手段は、第１の手段において、前記制御手段が前記光電変換素子の読み取りデータとして自動原稿給送装置の背景板を使用することを特徴とする。
【００１１】
第４の手段は、第３の手段において、前記背景板が前記自動原稿給送装置の用紙ガイドと兼用されていることを特徴とする。
【００１２】
第５の手段は、第１の手段において、主走査方向の画像読み取り有効読み取り範囲外に反射濃度一定の基準板をさらに備え、前記制御手段が原稿読み取り時の前記光電変換素子の読み取りデータとして前記基準板の読み取りデータを使用することを特徴とする。  
第６の手段は、第５の手段において、前記基準板が原稿サイズを測るスケールと兼用されていることを特徴とする。
【００１３】
第７の手段は、第５の手段において、前記制御手段が原稿読み取り前の前記光電変換素子の読み取りデータとして自動原稿給送装置の背景板を使用することを特徴とする。  
第８の手段は、第１ないし第７のいずれかの手段において、原稿読み取り動作は、前記光電変換素子の出力が安定した後、読み取りを開始することを特徴とする。  
第９の手段は、第１ないし第７のいずれかの手段において、前記露光ランプを点灯するためのインバータ回路をさらに備え、前記制御手段が入力される露光ランプ点灯信号に基づいて前記露光ランプを点灯するためのパルスを前記インバータ回路に入力することを特徴とする。
【００１４】
第１０の手段は、第１ないし第８のいずれかの手段に係る画像読み取り装置を画像形成装置が備えていることを特徴とする。
【００１５】
なお、後述の実施形態において、光電変換素子はＣＣＤ１００に、制御手段は点灯制御部１３５に、白色基準板は基準白板５２に、背景板は反射ガイド板２０に、基準板は符号５０に、スケールは符号５１に、インバータ回路は符号１３１に、それぞれ対応する。
【発明の効果】
【００１６】
本発明によれば、露光ランプの電源オン後のランプ光量立ち上がりが早くなり、光電変換素子の出力を迅速に安定させることができる。その結果、原稿読み取り時の光量変動による影響を押さえ、安定した画像データを得ることが可能となる。
【発明を実施するための最良の形態】
【００１７】
以下、本発明の実施形態について図面を参照して説明する。
【００１８】
図１は本発明の実施形態に係るカラー画像読み取り装置の全体構成を示す図である。  
同図において、カラー画像読み取り装置は、スキャナＳＣと自動両面原稿搬送装置ＡＲＤＦから構成されている。スキャナＳＣは原稿を光学的に読み取る機能を有し、自動両面原稿搬送装置ＡＲＤＦはスキャナＳＣの原稿読み取り部に原稿を自動的に給送する機能を有する。また、自動両面原稿搬送装置ＡＲＤＦは自動的に原稿を反転させて原稿の両面をスキャナＳＣで読み取ることができるように原稿を搬送する機能も有する。
【００１９】
スキャナＳＣ自体は公知のものなので、動作とともに構成を簡単に説明する。このスキャナＳＣは、第１キャリッジ３１上に搭載された照明ランプ２及び第１ミラー３と、第２キャリッジ３２上に搭載された第２及び第３ミラー５，４と、レンズ１と、ＣＣＤが搭載されたＳＢＵ（スキャナボードユニット）１０とを備え、シートスルー位置に固定された第１キャリッジ３１からの読み取り光をＣＣＤに導いて移動する原稿の画像情報を読み取り、また、第１及び第２キャリッジ３１，３２を２対１の走査速度で副走査方向に移動させて固定された原稿の原稿画像を読み取る。
【００２０】
具体的には、原稿台ガラス８上に置かれた原稿は照明ランプ２により照射され、第１ミラー３で反射光を受けて、原稿台下部を移動しながら走査される。走査は、第１及び第２キャリッジ３１，３２が副走査方向に移動しながら行われ、前記第１ミラー３で受けた原稿面からの反射光は第２及び第３ミラー５，４に導かれ、レンズ１によってＳＢＵ１０に搭載されたＣＣＤの結像面に入射し、電気信号に光電変換される。第１ミラー３、照明ランプ２及び第２ミラー５、第３ミラー４をそれぞれ搭載する第１及び２キャリッジ３１，３２は、走行体モータ９を駆動源として、キャリッジホーム位置から最大走査領域方向（図中、左右方向）に移動可能となっている。
【００２１】
一方、自動両面原稿搬送装置ＡＲＤＦでは、原稿台１１の原稿ガイド１２に沿って積載された原稿は、片面原稿読み取りを選択した場合には呼び出しコロ１４、給紙ベルト１６により搬送コロ１５、分離コロ１７、第１搬送ローラ１８によりＤＦ用原稿ガラス６と反射ガイド板２０との間の読み取り位置を経て、第２搬送ローラ２１及び排紙ローラ２３へ送り込まれ、原稿が排出される。ＤＦ用原稿ガラス６前にはレジストセンサ１９が配置されており、読み取り部への紙の進入先端や後端部のタイミングを検知できる。
【００２２】
一方、両面原稿読み取りを選択した場合には、まず原稿の表面の読み取りを前記片面原稿読み取りを選択した場合と同様に実施する。原稿の表面を読み取るときには、呼び出しコロ１４、給紙ベルト１６、搬送コロ１５、分離コロ１７、第１搬送ローラ１８によりＤＦ用原稿ガラス６と反射ガイド板２０との間の読み取り位置（シートスルー読み取り部）を経て、第２搬送ローラ２１及び排紙ローラ２３へと送り込まれる。そして、原稿を排出せずに、分岐爪２４が下方へ切り換えられて反転ローラ２５により反転テーブル２６上へ移送され、原稿の後端が排紙ローラ２３を抜けた後に分岐爪２４が上方へ切り換えられて一旦、反転ローラが停止する。
【００２３】
原稿の裏面の読み取りを実施するためには、一旦、停止していた反転ローラ２５を前記とは逆方向へ回転させることにより原稿が反転テーブル２６から第１搬送ローラ１８の方向へ搬送され、さらに第１搬送ローラ１８を経て表面と同様にＤＦ用原稿ガラス６と反射ガイド板２０との間の読み取り位置を経て、第２搬送ローラ２１及び排紙ローラ２３へ送り込まれ、その後、原稿が排出される。
【００２４】
原稿は、表面、裏面の読み取り共にＤＦ用原稿ガラス６と反射ガイド板２０との間の読み取り位置を通過する際に、読み取り位置の近傍に停止している第１キャリッジ３１上の照明ランプ２により照射され、その反射光は、第１ミラー３及び一体に構成された第２ミラー５、第３ミラー４でレンズ１に導かれる。以下、原稿台に載置した原稿の場合と同様に光電変換される。
【００２５】
自動両面原稿搬送装置ＡＲＤＦの呼び出しコロ１４、給紙ベルト１６、搬送コロ１５、分離コロ１７の給紙機構は図示しない給紙モータにより駆動されている。また、第１搬送ローラ１８、第２搬送ローラ２１、排紙ローラ２３、反転ローラ２５の搬送機構は図示しない搬送モータにより駆動されている。さらに、自動両面原稿搬送装置ＡＲＤＦには原稿を検知するために原稿台１７へ原稿がセットされているか否かを検知するセットセンサ１３、原稿サイズを検知するための幅サイズ検知基板２８、原稿長さセンサ２９，３０、原稿の後端を検知するための原稿後端センサ２７が搭載されている。スキャナＳＣ本体にはスキャナＳＣ本体及び自動両面原稿搬送装置ＡＲＤＦを含めたカラー画像読み取り装置の動作制御を行うＳＣＵ（スキャナコントロールユニット）７が搭載されている。
【００２６】
図２及び図３は本実施形態に係るカラー画像読み取り装置の全体的な構成を示すブロック図である。
【００２７】
図２において自動両面原稿搬送装置ＡＲＤＦは当該ＡＲＤＦ部に用いる電装部品の電力供給を中継する機能を有するＡＤＵ４２に、レジストセンサ１９、ＡＤＦリフトアップセンサ、原稿セットセンサ１３、ＡＤＦカバーオープンセンサ、排紙センサ２２、反転トレイセンサ、原稿幅サイズ検知センサ２８、原稿長サイズ検知センサ２９，３０、原稿後端検知センサ２７、給紙クラッチ、底板ソレノイド、反転ソレノイド、給紙／反転モータ、搬送モータなどが接続され、電源供給を受けている。
【００２８】
スキャナＳＣは、ＶＩＯＢ３３、ＳＢＵ１０、ＳＣＵ７、ＰＳＵ４４、ＩＳＩＣ４０、ＮＩＣ４１、及びＯＩＰＵ３６等によって構成されている。詳しくは、ＶＩＯＢ３３にＳＣＵ７、ＰＳＵ４４、ＳＢＵ１０、前記ＡＤＵ４２、原稿サイズセンサ（幅、長さ）２９，３０、ホームポジションセンサ、スキャナモータ９、ランプ安定器１１４、ＳＯＰ４３、ＳＷＢ、ＮＩＣ操作パネルなどが接続され、前記ＳＣＵ７にＯＩＰＵ３６、ＮＩＣ４１、ＩＳＩＣ４０等が接続されている。なお、ランプ安定器１１４には照明用のキセノンランプ２が接続されている。
【００２９】
図３に示すようにＳＢＵ１０上にはＣＣＤ１００が搭載され、ＣＣＤ１００に入光した原稿の反射光はＣＣＤ１００内で光の強度に応じた電圧値を持つアナログ信号に変換され、奇数ビットと偶数ビットに分かれて出力される。前記ＳＢＵ１０のアナログ画像信号は、ＶＩＯＢ３３上でアナログ処理回路１０１で暗電位部分が取り除かれ、奇数ビットと偶数ビットが合成され、所定の振幅にゲイン調整された後にＡ／Ｄコンバータ１０２に入力されデジタル信号化される。
【００３０】
デジタル化された画像信号は、シェーディング部１０３でシェーディング補正され、ＶＩＯＢ３３からＳＣＵ７上のＩＰＵ（イメージプロセッシングユニット）１０４で、ガンマ補正、ＭＴＦ補正等の画像処理が行われた後、同期信号、画像クロックとともにビデオ信号として、画像データ記憶手段ＳＤＲＡＭ１０６を管理するメモリコントローラ１０５に入力され、ＳＤＲＡＭで構成される画像メモリに蓄えられる。
【００３１】
画像メモリＳＤＲＡＭ１０６に蓄えられた画像データは、外部Ｉ／Ｆドライバ１０７に送られ、パソコンやプリンタ等の外部出力装置１２０へ転送される。実施形態における外部Ｉ／ＦドライバはＳＣＳＩ，ＩＥＥＥ１３９４、ＬＡＮなどドライバやローカルＶｉｄｅｏ信号などを総称している。
【００３２】
ＳＣＵ（スキャナコントロールユニット）７上には、ＣＰＵ１０８、ＲＯＭ１０９、ＲＡＭ１１０、ＮＶＲＡＭ１１１、モータドライバ１１２が実装されており、ＣＰＵ１０８は、スキャナ本体のステッピングモータである走行体モータ９、ＡＲＤＦの給紙モータ（図示せず）、搬送モータ（図示せず）のタイミング制御も行っている。
【００３３】
ＳＣＵ７上のＣＰＵ１０８に接続されている入力ポートは、ＶＩＯＢ３３を介して本体操作パネルＳＯＰ４３に接続されている。本体操作パネルＳＯＰ４３上にはスタートスイッチ（図示せず）と停止スイッチ（図示せず）が実装されている。それぞれのスイッチが押下されると入力ポートを介してＣＰＵはスイッチがＯＮされたことを検出する。
【００３４】
図４は圧板（ＡＲＤＦ）部分とコンタクトガラス部分の概略構成を示す斜視図である。ＡＲＤＦ５３は図示を簡略化するために原稿送りの機構は省略してある。同図において、コンタクトガラス８に並設して前述のようなＤＦ用原稿ガラス６がスキャナＳＣ上面に設けられている。このスキャナＳＣはブック原稿とシート原稿を読み取るように構成されているが、コンタクトガラス８上に原稿を載置して読み取る場合には、第１及び第２キャリッジ３１，３２を走査して原稿を読み取る。コンタクトガラス８上に載置される原稿は、ブック原稿でもシート原稿でも良く、所謂シートスルーで読み取る場合には、シート原稿のみである。なお、図４では、コンタクトガラス８上に原稿５４が載置されている状態を示す。
【００３５】
また、前記ＤＦ用原稿ガラス６とコンタクトガラス８の間には主走査方向に沿って基準白板５２が設けられ、コンタクトガラス８の奥側には反射濃度一定の基準板５０が設けられている。基準の濃度板として、一般的にシェ−ディングなどで使用される基準白板５２、主走査方向の画像読み取り有効読み取り範囲以外にＣＣＤの読み取り濃度基準となる反射濃度一定の基準板５０、及びＡＲＤＦの搬送ガイド機能と兼用である反射ガイド板２０が使用される。これらは基準板５０と同様に濃度一定のガイド板である。前記基準板５０は原稿サイズを測る長さスケール５１と兼用になっており、それぞれ露光ランプ２の照射及びＣＣＤ１００の受光領域に配置され、これら基準白板５２、基準板５０及び反射ガイド板２０からの反射光をＣＣＤ１００で受光し、光電変換することにより露光ランプ２の光量変化が判断できる。
【００３６】
それぞれ主な用途としては、基準白板５２は、電源ＯＮ時のゲイン調整やスキャン毎のシェ−ディング、スキャン毎の光量チェックに使用される。長さスケール５１（基準板５０）は、副走査方向の読み取りデータ変化を測定する。ＡＲＤＦの搬送ガイド機能と兼用である反射ガイド板２０は搬送される原稿の間で基準濃度を読み取ることができるので、基準白板５２までキャリッジを移動させないで光量変化を測定することが可能となる。
【００３７】
図５はインバータを使用したランプ点灯回路の回路構成を示す図である。同図において、同期点灯の場合には、各ラインの読み取り開始タイミングを規定するライン同期信号ＴＧ−ＩＮＶ１４２、クロック信号ＣＬＫ１４５、コントロール信号ＣＮＴ１４３及びゲート信号ＧＡＴＥ１４４が入力されると点灯制御部１３５は動作し、インバータ回路を制御する。インバータ回路１３１からの出力は昇圧トランス１３２を経由してランプ１３３（照明ランプ２に対応）に印加される。なおＣＮＴ１４３はランプのＯＮ／ＯＦＦ制御信号、ＧＡＴＥ信号１４４はランプ休止期間の制御信号、１３０はインバータ１３１に入力される定電圧電源である。
【００３８】
図６は図５におけるインバータの回路構成の一例を示す図である。同図に示すようにランプＯＮ／ＯＦＦ制御信号ＣＮＴ１４３がＨｉｇｈレベルの時、ＴＲ１がオンし、インバータ制御用ＩＣのＩＣ１に電力が供給される。ＩＣ１はスイッチング素子ＦＥＴ１を駆動するためのドライバを内蔵しておりクロック信号１４５に応じて所定の周期で発振し、発振パルスにより内蔵ドライバを駆動し、ドライバの出力によりスイッチング素子ＦＥＴ１が駆動される。駆動信号によりスイッチング素子ＦＥＴ１がＯＮになると、定電圧電源１３０→昇圧トランスの一次側巻線１３２→スイッチング素子ＦＥＴ１の経路で電流が流れ、昇圧トランス１３２にエネルギが蓄えられる。次にスイッチング素子ＦＥＴ１がＯＦＦになり、昇圧トランス１３２に流れていた電流が遮断されると、蓄えられていたエネルギが放出され、昇圧トランス１３２の一次側、二次側に急峻な立ち上がりを持つ電圧波形が発生する。この電圧波形は時間とともに減衰し、次にスイッチング素子ＦＥＴ１がオンになった後オフになると前記と同様に再び急峻な立ち上がりを持つ電圧波形が発生する。すなわちスイッチング素子ＦＥＴ１をオン／オフする毎に再び急峻な立ち上がりを持つ電圧波形が発生し、ランプ１３３に繰り返し電流が流れ、ランプ１３３が点灯し、光が放出される。またインバータ制御ＩＣ１は、１ＧＡＴＥ信号４４が入力される期間は出力を停止する。
【００３９】
なお、図５に示すようにインバータの外部から入力するクロック信号ＣＬＫ１４５に応じてインバータは所定の周期で発振する。クロック信号ＣＬＫ１４５をインバータ外部とすることによりＦＥＴ、トランス等のインバータ発熱部品から受ける熱の影響を軽減でき、発振精度を向上することができる。
【００４０】
制御信号のタイミングチャートを図７及び図８に示す。図７はランプＯＮ／ＯＦＦ信号ＣＮＴとライン同期信号ＴＧ−ＩＮＶのタイミングを示したものでランプＯＮ／ＯＦＦ信号ＣＮＴとは別に点灯周波数の位相同期をとる目的でライン同期信号ＴＧ−ＩＮＶを供給する。なおランプＯＮ／ＯＦＦ信号ＣＮＴとライン同期信号ＴＧ−ＩＮＶは非同期で供給し、ランプＯＮ／ＯＦＦ信号ＣＮＴのＯＮ，ＯＦＦは任意の時間とする。
【００４１】
図８はライン同期信号ＴＧ−ＩＮＶ、ＧＡＴＥ及びＣＬＫとインバータ出力光波形のタイミングを示したものである。図８に示すＴ１及びＴ２が休止期間で、必要原稿面照度に応じてこの休止期間を設けることにより１ライン当りの点灯パルス数を任意の値に設定することができる。図８においてＧＡＴＥ信号を制御し、ランプ休止期間の終了タイミング、ＣＬＫ信号を制御し、ランプ点灯パルス発生タイミングを切り換えることにより主走査方向のランプ点灯パルス発生タイミングを任意に制御することができる。
【００４２】
図９は本発明の第２の実施形態におけるランプ点灯制御の制御回路の回路構成を示すブロック図、図１０は図９の回路の動作手順を示すフローチャートである。図９に示した制御回路は、ランプ（光源）２、ランプ２を点灯するためのインバータ２０１、原稿画像を読み取るＣＣＤ１００、Ａ／Ｄ回路２０２、画像処理回路２０３、画像データ比較回路部２０４、及び周波数切り換え回路部２０５から基本的に構成されている。
【００４３】
図９の制御回路では、図１０のフローチャートにも示すように図示しない本体制御部からのランプ点灯信号により、ランプ２をインバータ周波数ｆ１で点灯して（ステップＳ１０１）、ＣＣＤ１００で読み取る（ステップＳ１０２）。ＣＣＤ出力のＡ／Ｄ変換されたデジタルデータは、画像データ比較回路部２０４に入力され、入力された画像データは、予め設定してあるＣＣＤ出力目標値と比較される（ステップＳ１０３）。この比較で、目標値と画像データが等しくない場合は、再度ＣＣＤの出力データを読み取る（ステップＳ１０３→ステップＳ１０２）。目標値と画像データが等しくなった場合は、インバータに入力されている周波数をｆ１→ｆ０へ変更して（ステップＳ１０４）から、コピー動作に入り（ステップＳ１０５）、コピー動作終了後ランプが消灯される（ステップＳ１０６）。コピー動作は画像処理部２０３で行われる。
【００４４】
従来の露光ランプでは、ランプ立ち上がり時には、図１３に示すようにＣＣＤ出力が一定になるまでに時間を要していたが、図１０のフローチャートに示したようにランプの点灯周波数を点灯時の周波数ｆ１と、目標値と一致した後の周波数ｆ０に切り換えると図１４に示すように、立ち上がり時のランプ光量立ち上がりが早くなり、従来よりも早くＣＣＤ出力を安定させることができる。
【００４５】
図１１は図９の制御回路の変形例を示すブロック図、図１２は図１１の制御回路の動作手順を示すフローチャートである。この変形例は図９の周波数切り換え回路部２０５に代えて周波数演算回路部２０６としたものである。これにより、ＣＣＤ出力のＡ／Ｄ変換されたデジタルデータは、画像データ比較回路部２０４に入力され、入力された画像データは、予め設定してあるＣＣＤ出力目標値と比較され、目標値と画像データが等しくない場合は（ステップＳ１０３−ＮＯ）、目標値との差分を演算して、次段の周波数演算回路部２０６に送られる。周波数演算部２０６では、予めＲＯＭ１０９（図３参照）に格納されたプログラムに基づき、次の周波数が決定される。そして、ステップＳ１０２に戻り、前記決定された周波数で画像読み取りを行う。この動作を繰り返し、目標値が読み取り値に一致した時点でコピー行う（ステップＳ１０３，Ｓ１０５）。その他、特に説明しない各部及び動作は前述の図９及び図１０で説明した通りである。
【００４６】
ここで、画像データ比較部２０４と周波数演算部２０６について、もう少し詳しく説明する。  
点灯周波数と光源発光量は温度因子を除けば、周波数増→光源発光量増、周波数減→光源発光量減の関係がある。周波数変更を行う場合、予めＲＯＭ１０９にプログラムを格納しておく。図示しない濃度基準板（基準白板）を読み、Ａ／Ｄ変換された後の値の狙い値をα、実測値をβとする。α−βを演算し、狙い値に対する差分Δβを、
Δβ＝α−β
により求める。このΔβのテーブルを図１６に示す。テーブルには各Δβ（各数値は＊＊以上）に対する、選択すべき周波数変更量ΔｆＫＨｚが決められている。例えば、
Δβ＝−２６
であると、テーブル内Ｎｏ．２の−３０に対応する値、
Δｆ２＝−１５ＫＨｚ
を選択し、現在の点灯周波数がｆ＝１００ＫＨｚであると、
ｆ＋Δｆ２＝８５ＫＨｚ
となり、点灯周波数を減少し、減光することが可能である。
【００４７】
一方、
Δβ＝１５
であると、テーブル内Ｎｏ．６の１０に対応する値、
Δｆ６＝＋５ＫＨｚ
を選択する。
【００４８】
現在の点灯周波数がｆ＝１００ＫＨｚであると、
ｆ＋Δｆ２＝１０５ＫＨｚ
となり、点灯周波数を増加し、増光するすることが可能である。
【００４９】
周波数演算部で決定された結果に基づき、インバータに入力している周波数を変更し、インバータに送られランプ光量を変更し、再びＣＣＤからの画像データを確認すし、目標値と等しくなるまで、前記動作が繰り返される。目標値と画像データが等しくなった場合は、コピー動作に入り、コピー動作終了後ランプが消灯される。前記動作は、ランプを点灯時に行うものとする。
【００５０】
従来のランプでは、ランプ立ち上がり時には、図１３に示すようにランプ光量立上りが遅く、ＣＣＤ出力が一定になるまでに時間を要していたが、前記フローのように、ランプの点灯周波数を制御することで、図１５に示すように、立ち上がり時のランプ光量立上りが早くなり、従来よりも早くＣＣＤ出力を安定させることができる。また周波数の変更については、高い周波数から低い周波数への変更でも良いし、低い周波数から高い周波数へ変更するようにしても良い。
【００５１】
以上のように本実施形態によれば、
１）原稿読み取り時のＣＣＤ出力が一定になるように、パルス周波数を変更することにより、原稿読み取り時の光量変動による影響を抑えることができ、安定した画像データを得ることが可能となる。  
２）ＣＣＤの読み取りデータとして基準白板の読み取りデータを使用することにより、原稿読み取り時の光量変動による影響を抑えることができ、安定した画像データを得ることが可能となる。  
３）ＣＣＤの読み取りデータとしてＡＤＦの背景板の読み取りデータを使用することにより、原稿読み取り時の光量変動による影響を抑えることができ、安定した画像データを得ることが可能となる。  
４）主走査方向の画像読み取り有効読み取り範囲外に反射濃度一定の基準板をさらに備え、原稿読み取り時のＣＣＤの読み取りデータとして前記基準板の読み取りデータを使用することにより、原稿読み取り時の光量変動による影響を抑えることができ、安定した画像データを得ることが可能となる。  
５）露光ランプ点灯時は、ＡＲＤＦの背景板を使用し、露光ランプ点灯後の原稿読み取り時は、主走査方向の画像読み取り有効読み取り範囲以外に配置した基準板を使用して、ＣＣＤデータを読み取ってパルス周波数を制御することにより、ランプ立ち上がりから原稿読み取りまで一貫して、光量の安定化を図ることができ、光量変動のない安定した画像データを得ることが可能となる。  
６）原稿読み取り動作は、ＣＣＤ出力が安定してから読み取りを開始することにより、光量変動のない安定した画像データを得ることが可能となる。  
等々の効果を奏する。
【図面の簡単な説明】
【００５２】
【図１】本発明の第１の実施形態に係るカラー画像読み取り装置の全体構成を示す図である。
【図２】本実施形態に係るカラー画像読み取り装置の全体的な構成を示すブロック図である。
【図３】本実施形態に係るカラー画像読み取り装置の全体的な構成を示すブロック図である。
【図４】図１の圧板（ＡＲＤＦ）部分とコンタクトガラス部分の概略構成を示す斜視図である。
【図５】インバータを使用したランプ点灯回路の回路構成を示す図である。
【図６】図５におけるインバータの回路構成の一例を示す図である。
【図７】ランプＯＮ／ＯＦＦ信号ＣＮＴとライン同期信号ＴＧ−ＩＮＶのタイミングを示すタイミングチャートである。
【図８】ライン同期信号ＴＧ−ＩＮＶ、ＧＡＴＥ及びＣＬＫとインバータ出力光波形のタイミングを示すタイミングチャートである。
【図９】本発明の第２の実施形態におけるランプ点灯制御の制御回路の回路構成を示すブロック図である。
【図１０】図９の回路の動作手順を示すフローチャートである。
【図１１】図９の制御回路の変形例を示すブロック図である。
【図１２】図１１の制御回路の動作手順を示すフローチャートである。
【図１３】従来の露光ランプのランプ立ち上がり時の時間とＣＣＤ出力との関係を示す図である。
【図１４】第２の実施形態における露光ランプのランプ立ち上がり時の時間とＣＣＤ出力との関係を示す図である。
【図１５】図１６の制御回路における露光ランプのランプ立ち上がり時の時間とＣＣＤ出力との関係を示す図である。
【図１６】周波数変更を行う場合のΔβとΔｆとの関係を記憶したテーブルを示す図である。
【符号の説明】
【００５３】
２，１３３  露光ランプ（光源）
７  ＳＣＵ
１０  ＳＢＵ
１００  ＣＣＤ
１０１  アナログ処理回路
１０２，２０２  Ａ／Ｄコンバータ
１０３  シェーディング部
１０４  ＩＰＵ
１０５  メモリコントローラ
１０６  ＳＤＲＡＭ
１０８  ＣＰＵ
１０９  ＲＯＭ
１１０  ＲＡＭ
１１１  ＮＶＲＡＭ
１３０  定電圧電源
１３１，２０１  インバータ
１３２  昇圧トランス
１３５  点灯制御部
２０３  画像処理部
２０４  画像データ比較部
２０５  周波数切り換え回路部
２０６  周波数演算回路部
【図１】
2007006339.tif 000003
【図２】
2007006339.tif 000004
【図３】
2007006339.tif 000005
【図４】
2007006339.tif 000006
【図５】
2007006339.tif 000007
【図６】
2007006339.tif 000008
【図７】
2007006339.tif 000009
【図８】
2007006339.tif 000010
【図９】
2007006339.tif 000011
【図１０】
2007006339.tif 000012
【図１１】
2007006339.tif 000013
【図１２】
2007006339.tif 000014
【図１３】
2007006339.tif 000015
【図１４】
2007006339.tif 000016
【図１５】
2007006339.tif 000017
【図１６】
2007006339.tif 000018